(57)【要約】【課題】チューブ容器の外形から内容物のおおよその残量を判断することができ、しかも内容物の残存量を少なくすることのできる二連式吐出装置を提供する。【解決手段】二連式吐出装置１００は、二剤混合式の毛髪化粧料の第１剤及び第２剤を収容する２つのチューブ容器１０，２０と、これらから一定比率の第１剤及び第２剤を同時に吸引して吐出する吐出器４０とを備える。このうち、第１剤を収容する第１チューブ容器１０は、金属製の外装チューブ及び樹脂製の内装チューブからなる二重チューブ容器であり、外部からの気体の流入を防ぐ気密構造とされている。このため、吐出器４０により第１剤が吸引されて樹脂製の内装チューブが変形すると、この変形に伴い、金属製の外装チューブも変形する。したがって、第１チューブ容器１０の外形から内容物のおおよその残量を判断することができる。【選択図】図１
2011157087.tif 000002
【特許請求の範囲】
【請求項１】
二剤混合式の毛髪化粧料の第１剤及び第２剤を収容する２つのチューブ容器と、
前記２つのチューブ容器から一定比率の第１剤及び第２剤をポンプで同時に吸引して吐出する吐出器と、
を備える二連式吐出装置において、
第１剤を収容するチューブ容器は、金属製の外装チューブ及び樹脂製の内装チューブからなる二重チューブ容器であり、外部からの気体の流入を防ぐ気密構造とされていること
を特徴とする二連式吐出装置。
【請求項２】
前記チューブ容器の裾部の位置決めをする位置決め手段を備えること
を特徴とする請求項１に記載の二連式吐出装置。
【請求項３】
前記吐出器を支持するとともに、少なくとも第１剤を収容するチューブ容器の外形が外部から視認可能な状態で前記２つのチューブ容器を収容する外装容器を備え、
前記位置決め手段は、前記外装容器に設けられていること
を特徴とする請求項２に記載の二連式吐出装置。
【発明の詳細な説明】
【技術分野】
【０００１】
本発明は、２つのチューブ容器に別々に収容された二剤混合式の毛髪化粧料の第１剤及び第２剤をポンプで同時に吸引して吐出する構成の二連式吐出装置に関するものである。
【背景技術】
【０００２】
従来、酸化染料及びアルカリ剤を含有する第１剤と過酸化水素を含有する第２剤とを混合して使用する染毛剤や、アルカリ剤を含有する第１剤と過酸化水素を含有する第２剤とを混合して使用する脱色剤など、二剤混合式の毛髪化粧料が知られている。こうした毛髪化粧料は、第１剤及び第２剤が２つのチューブ容器に別々に収容されており、使用直前にトレイなどに絞り出されてブラシ等で混合された上で使用されることが一般的である。
【０００３】
ここで、第１剤を収容するチューブ容器としては、例えば、気体及び液体を通さないように密閉（シール）された金属製（例えばアルミニウム製）のチューブ容器を用いることができる。
【０００４】
これに対し、第２剤は過酸化水素を主成分とする酸性溶液であるため、第１剤と同じ金属製のチューブ容器では内面が腐食してしまう。また、第２剤では過酸化水素が分解して酸素が発生するため、気体及び液体を通さないように密閉されたチューブ容器では酸素が充満することにより破裂してしまうおそれがある。
【０００５】
そこで、第２剤を収容するチューブ容器としては、例えば、金属製（例えばアルミニウム製）の外装チューブの内側に、気体は通すが液体は通さない性質（ガス透過性）を有する樹脂製の内装チューブが内装された二重チューブ容器を用いることができる（特許文献１参照）。具体的には、この種の二重チューブ容器は、裾部が接着剤等により密閉されておらず、単に折り返しによって封止されており、内容物である第２剤が外部に漏れないようにしつつ、第２剤から発生した酸素のみが裾部から外部に放出されるようになっている。
【０００６】
ところで、こうした二剤混合式の毛髪化粧料を簡便に使用するための装置として、２つのチューブ容器に別々に収容された第１剤及び第２剤をポンプで同時に吸引して吐出する構成の二連式吐出装置が提案されている（特許文献２〜４参照）。
【０００７】
そして、特許文献２に記載の構成では、第１剤を収容するチューブ容器を、外層を低密度ないし高密度ポリエチレンやポリプロピレン等のポリオレフィン系樹脂から形成し、中間層をエチレン・ビニルアルコール共重合体フィルム、メタキシレンジアミンを用いたポリアミドフィルム等の酸素ガスバリア層、好ましくは水分バリア性、酸化染料のバリア性に優れた環状ポリオレフィン層から形成し、内層をポリオレフィン層とした積層構造としており、第２剤を収容するチューブ容器については、外層を低密度ポリエチレンから形成し、内層を直鎖低密度ポリエチレンから形成するようにしている。
【０００８】
また、特許文献３に記載の構成では、第１剤を収容するチューブ容器を、内側から酸素透過性樹脂層、酸素バリア性樹脂層、最外層樹脂層が順次積層された積層体から形成し、第２剤を収容するチューブ容器については、酸素バリア性樹脂層が積層されていない酸素透過性領域を形成するようにしている。
【０００９】
一方、特許文献４には、チューブ容器をアルミラミネート樹脂によって形成することが記載されている。
【先行技術文献】
【特許文献】
【００１０】
【特許文献１】特開平９−３０５４１号公報
【特許文献２】特開２００５−１２６１４４号公報
【特許文献３】特開２００６−６９５８１号公報
【特許文献４】特開２００９−１５４８９９号公報
【発明の概要】
【発明が解決しようとする課題】
【００１１】
特許文献２，３に記載の構成では、第１剤及び第２剤を収容するチューブ容器がいずれも復元力の強い軟質可撓性材料によって形成されていることから、内容物の吸引時にはチューブ容器が一時的に変形する（つぶれる）ものの、その変形状態が維持されにくく、吐出口からの空気の流入により膨らんでしまう。このため、チューブ容器の外形（変形度合い）から内容物（第１剤及び第２剤）の残量を判断することができないという問題がある。
【００１２】
また、特許文献４に記載のようなアルミラミネート樹脂であっても、ラミネート樹脂のアルミニウム層は非常に薄いため（約５〜５０μｍ程度）、樹脂層の復元力に対抗できない。したがって、特許文献２，３に記載の構成と同様、チューブ容器の外形から内容物の残量を判断することができない。
【００１３】
一方、前述したように、第１剤を収容するチューブ容器としては金属製のチューブ容器が知られており、第２剤を収容するチューブ容器としては二重チューブ容器が知られている。
【００１４】
このうち、二重チューブ容器は、内容物の吸引時に内装チューブが変形しても、外装チューブが同じように変形する訳ではないため、特許文献２〜４に記載の構成と同様、チューブ容器の外形から内容物の残量を判断することができない。
【００１５】
これに対し、金属製のチューブ容器は、復元力が弱く、吸引時の変形状態が維持されやすいため、チューブ容器の外形から内容物のおおよその残量を判断する面では都合がよい。しかしながら、金属製のチューブ容器は、内容物が十分に残っている状態では良好に変形するものの、肩部がつぶれにくいことから、内容物が残り少なくなると変形しにくくなり、樹脂製のチューブ容器に比べて内容物を十分に使い切ることができない（残存量が多くなる）という問題がある。
【００１６】
本発明は、こうした問題にかんがみてなされたものであり、チューブ容器の外形から内容物のおおよその残量を判断することができ、しかも内容物の残存量を少なくすることのできる二連式吐出装置を提供することを目的としている。
【課題を解決するための手段】
【００１７】
上記目的を達成するためになされた本発明の請求項１に記載の二連式吐出装置は、二剤混合式の毛髪化粧料の第１剤及び第２剤を収容する２つのチューブ容器と、２つのチューブ容器から一定比率の第１剤及び第２剤をポンプで同時に吸引して吐出する吐出器とを備える。そして、第１剤を収容するチューブ容器は、金属製の外装チューブ及び樹脂製の内装チューブからなる二重チューブ容器であり、外部からの気体の流入を防ぐ気密構造とされている。
【００１８】
このような気密構造の二重チューブ容器では、吐出器により第１剤が吸引されて樹脂製の内装チューブが変形する（つぶれる）と、この変形に伴い、金属製の外装チューブも変形する（つぶれる）。ここで、内装チューブの変形に伴い外装チューブが変形するのは、内装チューブと外装チューブとの間に形成される空間が負圧となるからである。すなわち、第２剤を収容するために用いられていた従来の二重チューブ容器であれば、内装チューブが変形しても外部から空気が流入するため負圧状態が解消されるが、本発明のように気密構造の二重チューブ容器では空気が流入しないため負圧状態が解消されず、外部（大気圧）との圧力差により外装チューブが変形することになる。
【００１９】
したがって、この二連式吐出装置によれば、第１剤を収容するチューブ容器の外形から内容物（第１剤）のおおよその残量を判断することができる。また、第１剤及び第２剤は一定比率で吸引されるため、第２剤についてもおおよその残量を判断することができる。しかも、内装チューブが樹脂製のものであるため、内容物の残存量を少なくすることができる。
【００２０】
なお、金属製の外装チューブは肩部がつぶれにくいことから、内容物が残り少なくなった状態では内装チューブの変形度合いと完全には一致しないことも考えられるが、おおよその残量を判断する上では大きな問題にはならない。
【００２１】
次に、請求項２に記載の二連式吐出装置は、チューブ容器の裾部の位置決めをする位置決め手段を備える。このような二連式吐出装置によれば、裾部の変形に伴う密閉状態の悪化などを防ぐことができる。また、チューブ容器の曲がりを矯正してチューブ容器同士がぶつかることを防ぐことができ、加えて、チューブ容器が折れ曲がることを防ぐことで吐出不良を生じにくくすることができる。
【００２２】
さらに、請求項３に記載の二連式吐出装置は、吐出器を支持するとともに、少なくとも第１剤を収容するチューブ容器の外形が外部から視認可能な状態で２つのチューブ容器を収容する外装容器を備え、前述した位置決め手段は、この外装容器に設けられている。このような二連式吐出装置によれば、２つのチューブ容器を、裾部の位置決めをした状態で収容することができる。
【図面の簡単な説明】
【００２３】
【図１】実施形態の二連式吐出装置の外観形状の説明図であり、（ａ）は側面図、（ｂ）は正面図である。
【発明を実施するための形態】
【００２４】
以下、本発明が適用された実施形態について、図面を用いて説明する。
図１は、実施形態の二連式吐出装置１００の外観形状の説明図であり、（ａ）は側面図、（ｂ）は正面図である。
【００２５】
この二連式吐出装置１００は、二剤混合式の毛髪化粧料（本実施形態ではヘアカラー）の第１剤及び第２剤を別々に収容する２つのチューブ容器（第１チューブ容器１０及び第２チューブ容器２０）と、これら２つのチューブ容器１０，２０を並列に支持した状態で内部に収容する外装容器３０と、各チューブ容器１０，２０から第１剤及び第２剤を同時に吸引して吐出する吐出器４０とを備えている。
【００２６】
第１チューブ容器１０及び第２チューブ容器２０には、二剤混合式の毛髪化粧料（本実施形態ではヘアカラー）の第１剤及び第２剤が別々に収容されている。
このうち、第２剤を収容する第２チューブ容器２０には、金属製（例えばアルミニウム製）の外装チューブの内側に、気体は通すが液体は通さない性質（ガス透過性）を有する樹脂製の内装チューブが内装された二重チューブ容器が用いられている。具体的には、第２チューブ容器２０は、裾部２２が接着剤により密封（シール）されておらず、単に折り返しによって封止されており、内容物である第２剤が外部に漏れないようにしつつ、第２剤から発生した酸素のみが裾部から外部に放出されるようになっている。なお、外装チューブの厚みは、例えば約５０〜２００μｍ程度とすることが好ましい。
【００２７】
一方、第１剤を収容する第１チューブ容器１０にも、第２チューブ容器２０と同様、金属製の外装チューブの内側に樹脂製の内装チューブが内装された二重チューブ容器が用いられている。ただし、第１チューブ容器１０は、第２チューブ容器２０とは異なり、外部からの気体の流入を防ぐ気密構造とされている。具体的には、裾部１２が接着剤により密封（シール）された上で折り返されており、気体が裾部１２を通過できないようになっている。なお、裾部１２側だけでなく、口部１１側も気体が通過できない構造となっている。
【００２８】
そして、これら２つのチューブ容器１０，２０を収容する外装容器３０は、透明な材料（例えば透明なプラスチック）で形成されており、収容されているチューブ容器１０，２０の外形を外部から視認できるようになっている。
【００２９】
具体的には、外装容器３０における上方位置には、各チューブ容器１０，２０を支持する支持部３１が形成されており、各チューブ容器１０，２０は、口部１１，２１が支持部３１に支持されてぶら下げられた状態となっている。
【００３０】
そして、外装容器３０の上部に固定された吐出器４０には、各チューブ容器１０，２０から第１剤及び第２剤を同量（１：１の比率で）吸引して吐出する２つのポンプ４１，４１が設けられており、各チューブ容器１０，２０の口部１１，２１が各ポンプ４１，４１に装着されている。
【００３１】
また、吐出器４０は、利用者が簡単な押操作で２つのポンプ４１，４１を同時に操作できるようにするための吐出ヘッド４２を備えており、この吐出ヘッド４２の内部には、２つのポンプ４１，４１により吸引・吐出された第１剤及び第２剤を合流させて共通の吐出口４３から吐出する混合流路が形成されている。なお、ポンプ４１，４１としては、手動操作により流体を吸い上げて吐出するタイプの周知のポンプ（いわゆるディスペンサーポンプ）が用いられる。
【００３２】
一方、外装容器３０の底部には、各チューブ容器１０，２０の裾部１２，２２（本実施形態では各裾部１２，２２の両端部分）をそれぞれ挿入可能な位置決め手段としての溝部３２が形成されており、各チューブ容器１０，２０の裾部１２，２２は、この溝部３２により位置決めされる。
【００３３】
以上のように構成された二連式吐出装置１００は、吐出ヘッド４２に対して下方への外力を加える（吐出ヘッド４２の上面を指などで押下する）操作及びその外力を解放する操作（つまりポンピング操作）が行われることにより、各チューブ容器１０，２０内の第１剤及び第２剤が各ポンプ４１，４１により吸引され、吐出ヘッド４２内部の混合流路で合流して、共通の吐出口４３から吐出される。
【００３４】
そして、第１チューブ容器１０から第１剤が吸引されることにより樹脂製の内装チューブが変形する（つぶれる）と、この変形に伴い、金属製の外装チューブも変形する（つぶれる）。このため、第１チューブ容器１０の外形から第１剤のおおよその残量を判断することができる。
【００３５】
一方、第２チューブ容器２０は、内装チューブの変形と外装チューブの変形とが一致しないため、第２チューブ容器２０の外形からは第２剤の残量を判断することができないが、第１剤及び第２剤は１：１の比率で吸引されるため、第２剤についても第１チューブ容器１０の外形からおおよその残量を判断することができる。
【００３６】
しかも、第１チューブ容器１０及び第２チューブ容器２０は、内装チューブが樹脂製のものであるため、内容物の残存量を少なくして十分に使い切ることができる。
加えて、本実施形態の二連式吐出装置１００では、外装容器３０に、チューブ容器１０，２０の裾部１２，２２の位置決めをする溝部３２が形成されているため、第１チューブ容器１０の裾部１２の変形に伴う密閉状態の悪化を防ぐことができる。また、第２チューブ容器２０の裾部２２の変形に伴い封止効果が薄れることにより、第２剤に外部からの空気が混入してしまうといったことを防ぐことができる。
【００３７】
以上、本発明の実施形態について説明したが、本発明は、上記実施形態に限定されることなく、種々の形態を採り得ることは言うまでもない。
例えば、上記実施形態では、第１剤と第２剤とが１：１の比率で吸引・吐出される構成を例示したが、混合比率は１：１に限定されるものではなく、一定の比率（例えば２：１等）であれば、第１チューブ容器１０の外形（変形度合い）に基づき第１剤及び第２剤のおおよその残量を判断することができる。
【００３８】
また、上記実施形態では、第２剤を収容する第２チューブ容器２０として二重チューブ容器を用いているが、これに限定されるものではなく、例えば、背景技術で挙げた特許文献に示されているように、多層樹脂フィルム等の軟質可撓性材料によって形成されたチューブ容器を用いてもよい。
【００３９】
さらに、上記実施形態では、外装容器３０を透明にすることでチューブ容器１０，２０の外形を外部から視認できるようにしているが、これに限定されるものではない。例えば、透明でない材料であっても、視認用の穴を形成することなどによりチューブ容器１０，２０の外形を外部から視認できるようにすることは可能である。また、第１チューブ容器１０のみを視認できるようにしてもよい。
【符号の説明】
【００４０】
１０，２０…第１チューブ容器，第２チューブ容器、１１，２１…口部、１２，２２…裾部、３０…外装容器、３１…支持部、３２…溝部、４０…吐出器、４１…ポンプ、４２…吐出ヘッド、４３…吐出口、１００…二連式吐出装置
【図１】
2011157087.tif 000003